(57)【要約】      （修正有）【課題】構造が簡素で簡便に組み立てで、製造コストが安価な泡発生装置を提供する。【解決手段】泡発生装置は、ノズルベース１、一方向弁２、ノズル３及びフィルタを備える。ノズルベース１は、組立部１２が延設された接合部１１を有する。組立部１２内には、組立部１２を上部収納室１４と下部収納室１５とに分ける隔板１３が配置される。隔板１３には、複数の通気孔１３１が設けられている。隔板１３の中央部には、スリーブ１６が突設されている。スリーブ１６の中心部には、係入孔１６１が形成されている。スリーブ１６には、先端が閉じた閉塞端１６２が上方に延設されている。閉塞端１６２には、係入孔１６１に連通する複数の貫通孔１６３が設けられている。上部収納室１４の上部には、接続片１７が隔板１３から上に向かって延設されている。接続片１７の上縁には、引っ掛け部１７１が設けられている。【選択図】図２
0003167280.tif 000002
【実用新案登録請求の範囲】
【請求項１】
ノズルベース、一方向弁、ノズル及びフィルタを備える泡発生装置であって、
前記ノズルベースは、組立部が延設された接合部を有し、前記組立部内には、前記組立部を上部収納室と下部収納室とに分ける隔板が配置され、前記隔板には、複数の通気孔が設けられ、前記隔板の中央部には、スリーブが突設され、前記スリーブの中心部には、係入孔が形成され、前記スリーブには、先端が閉じた閉塞端が上方に延設され、前記閉塞端には、前記係入孔に連通する複数の貫通孔が設けられ、前記上部収納室の上部には、接続片が前記隔板から上に向かって延設され、前記接続片の上縁には、引っ掛け部が設けられ、
前記一方向弁は、前記ノズルベースの前記スリーブを嵌合させる貫通孔を中央部に有し、前記ノズルベースの前記下部収納室に位置し、前記一方向弁の前記貫通孔と、前記貫通孔に嵌合される前記スリーブの周壁とには、互いに係合させて位置決めするストッパ部がそれぞれ形成され、前記一方向弁上には、平面状をなし、前記下部収納室の底縁に対して平行に係合される弾片が設けられ、前記一方向弁の底部には、複数の段差状をなす挟持片が延設され、前記挟持片間には、前記スリーブ内に嵌合する前記フィルタと連通する隙間が形成され、
前記ノズルは、前記ノズルベース上に嵌合され、前記ノズルの外壁は、前記ノズルベースの前記組立部を覆い、前記ノズルの外壁と、前記ノズルベースの前記組立部との間には、ガス導入隙間が設けられ、前記ノズルの内側には、前記ノズルベースの前記接続片を挟持する挟片が形成され、前記挟片の底縁には、前記ノズルベースの前記接続片に設けられた前記引っ掛け部に係合させて位置決めする引っ掛け部が設けられ、前記ノズルの内部には、前記スリーブの前記閉塞端に設けられた前記貫通孔に対応するように、ノズル口に連通した中空の滞留エリアが設けられ、
前記フィルタは、中空のフィルタ本体を有し、前記ノズルベースの前記スリーブに設けられた前記係入孔内に組み合わされ、前記フィルタ本体の上端には、前記フィルタ本体と一体になるように射出成型されたフィルタ網が設けられていることを特徴とする泡発生装置。
【請求項２】
前記ノズルは、櫛歯を有する櫛体が上端に配置され、前記ノズルの前記ノズル口が、前記櫛体内で延伸され、前記櫛体又は前記櫛歯には、前記ノズル口と連通する貫通孔が設けられていることを特徴とする請求項１に記載の泡発生装置。
【請求項３】
前記ノズルは、外側から内側にかけて弧状凹部をなす円盤状端面が上端に配置され、前記円盤状端面の中央部には、前記ノズル口と連通する貫通孔が設けられていることを特徴とする請求項１に記載の泡発生装置。
【考案の詳細な説明】
【技術分野】
【０００１】
本考案は泡発生装置に関し、特に、装置の構造が簡素であり、簡便に組み立てることができ、製造コストが安価な泡発生装置に関する。
【背景技術】
【０００２】
特許文献１の泡吐出容器は、主に、オーバーキャップ、ベースキャップ、逆止成型弁、泡均質化用ネット、ネットホルダ、混合器などの複数の部品から構成される。組み立てる際、まず、混合器内に泡均質化用ネット及びネットホルダを入れ、さらに、ベースキャップ内に、逆止成型弁並びに泡均質化用ネット及びネットホルダを入れた混合器を入れる。続いて、ベースキャップにオーバーキャップを組み合わせ、吸管を混合器の底部に嵌合してキャップを構成する。その後、組み立てが完成したキャップを瓶体に組み合わせる。瓶体を押すと、空気がベースキャップから逆止成型弁に流入し、瓶体に入る。瓶体に入った空気は、瓶内の溶液と混合し、泡均質化用ネットにより濾過され、泡となって出る。しかし、上述の組立工程から分かるように特許文献１の泡吐出容器は、複数の部品から構成されているため、組立に時間を要する。また、一部の部品が非常に小さいため、組み立てる際に紛失し、組み立てが困難となり、生産コストが余計にかかる虞がある。また、複数の細かい部品を製造するためには、複数の金型を製造する必要があるため、製造コストが高くなり、市場における競争力が低下する虞がある。
【先行技術文献】
【特許文献】
【０００３】
【特許文献１】特開平０７−２１５３５３号公報
【考案の概要】
【考案が解決しようとする課題】
【０００４】
本考案の目的は、部材の構造が簡素であり、簡便に組み立てることができ、製造コストが安価な泡発生装置を提供することにある。
【課題を解決するための手段】
【０００５】
上記課題を解決するために、本考案の第１の形態によれば、ノズルベース、一方向弁、ノズル及びフィルタを備える泡発生装置であって、前記ノズルベースは、組立部が延設された接合部を有し、前記組立部内には、前記組立部を上部収納室と下部収納室とに分ける隔板が配置され、前記隔板には、複数の通気孔が設けられ、前記隔板の中央部には、スリーブが突設され、前記スリーブの中心部には、係入孔が形成され、前記スリーブには、先端が閉じた閉塞端が上方に延設され、前記閉塞端には、前記係入孔に連通する複数の貫通孔が設けられ、前記上部収納室の上部には、接続片が前記隔板から上に向かって延設され、前記接続片の上縁には、引っ掛け部が設けられ、前記一方向弁は、前記ノズルベースの前記スリーブを嵌合させる貫通孔を中央部に有し、前記ノズルベースの前記下部収納室に位置し、前記一方向弁の前記貫通孔と、前記貫通孔に嵌合される前記スリーブの周壁とには、互いに係合させて位置決めするストッパ部がそれぞれ形成され、前記一方向弁上には、平面状をなし、前記下部収納室の底縁に対して平行に係合される弾片が設けられ、前記一方向弁の底部には、複数の段差状をなす挟持片が延設され、前記挟持片間には、前記スリーブ内に嵌合する前記フィルタと連通する隙間が形成され、前記ノズルは、前記ノズルベース上に嵌合され、前記ノズルの外壁は、前記ノズルベースの前記組立部を覆い、前記ノズルの外壁と、前記ノズルベースの前記組立部との間には、ガス導入隙間が設けられ、前記ノズルの内側には、前記ノズルベースの前記接続片を挟持する挟片が形成され、前記挟片の底縁には、前記ノズルベースの前記接続片に設けられた前記引っ掛け部に係合させて位置決めする引っ掛け部が設けられ、前記ノズルの内部には、前記スリーブの前記閉塞端に設けられた前記貫通孔に対応するように、ノズル口に連通した中空の滞留エリアが設けられ、前記フィルタは、中空のフィルタ本体を有し、前記ノズルベースの前記スリーブに設けられた前記係入孔内に組み合わされ、前記フィルタ本体の上端には、前記フィルタ本体と一体になるように射出成型されたフィルタ網が設けられていることを特徴とする泡発生装置が提供される。
【０００６】
また、前記ノズルは、櫛歯を有する櫛体が上端に配置され、前記ノズルの前記ノズル口が、前記櫛体内で延伸され、前記櫛体又は前記櫛歯には、前記ノズル口と連通する貫通孔が設けられていることが好ましい。
【０００７】
また、前記ノズルは、外側から内側にかけて弧状凹部をなす円盤状端面が上端に配置され、前記円盤状端面の中央部には、前記ノズル口と連通する貫通孔が設けられていることが好ましい。
【考案の効果】
【０００８】
本考案の泡発生装置は、部材の構造が簡素であり、簡便に組み立てることができ、製造コストが安価である。
【図面の簡単な説明】
【０００９】
【図１】本考案の一実施形態による泡発生装置を示す分解斜視図である。
【図２】本考案の一実施形態による泡発生装置を示す断面図である。
【図３】本考案の一実施形態による泡発生装置を使用するときの状態を示す断面図である。
【図４】本考案の一実施形態による泡発生装置を使用するときの状態を示す断面図である。
【図５】本考案の第１実施形態による泡発生装置を示す分解斜視図である。
【図６】本考案の第１実施形態による泡発生装置を示す断面図である。
【図７】本考案の第２実施形態による泡発生装置を示す分解斜視図である。
【図８】本考案の第２実施形態による泡発生装置を示す断面図である。
【図９】本考案の第３実施形態による泡発生装置を示す分解斜視図である。
【図１０】本考案の第３実施形態による泡発生装置を示す断面図である。
【考案を実施するための形態】
【００１０】
図１及び図２を参照する。図１及び図２に示すように、本考案の一実施形態による泡発生装置は、ノズルベース１、一方向弁２、ノズル３及びフィルタ４から構成される。
【００１１】
ノズルベース１は、内側に雌ネジ部が設けられた接合部１１を有する。接合部１１には、組立部１２が延設されている。組立部１２内には、組立部１２を上部収納室１４と下部収納室１５とに分ける隔板１３が配置されている。隔板１３には、複数の通気孔１３１が設けられている。隔板１３の中央部には、スリーブ１６が突設されている。スリーブ１６の中心部には、係入孔１６１が形成されている。スリーブ１６には、先端が閉じた閉塞端１６２が上方に延設されている。閉塞端１６２には、係入孔１６１に連通する複数の貫通孔１６３が設けられている。上部収納室１４の上部には、接続片１７が隔板１３から上に向かって延設されている。接続片１７の上縁外側には、引っ掛け部１７１が突設されている。
【００１２】
一方向弁２の中央部には、ノズルベース１のスリーブ１６を嵌合させる貫通孔２１が設けられている。一方向弁２は、ノズルベース１の下部収納室１５に位置する。一方向弁２の貫通孔２１と、貫通孔２１に嵌合されるスリーブ１６の周壁とには、互いに係合させて位置決めするストッパ部２１１，１６４がそれぞれ形成されている。一方向弁２上には、平面状をなし、下部収納室１５の底縁に対して平行に係合される弾片２２が設けられている。一方向弁２の底部には、複数の段差状をなし、吸管を覆って挟持する挟持片２３が延設されている。挟持片２３間には、スリーブ１６内に嵌合するフィルタ４と連通する隙間２４が形成されている。
【００１３】
ノズル３は、ノズルベース１上に嵌合される。ノズル３の外壁３１は、ノズルベース１の組立部１２を覆う。ノズル３の外壁３１と、ノズルベース１の組立部１２との間には、ガス導入隙間３１１が設けられている。ノズル３の内側には、ノズルベース１の接続片１７を挟持するために用いる挟片３２が形成されている。挟片３２の底縁内側には、ノズルベース１の接続片１７に設けられた引っ掛け部１７１に係合させて位置決めするために用いる引っ掛け部３２１が設けられている。ノズル３の内部には、スリーブ１６の閉塞端１６２に設けられた貫通孔１６３に対応するように、ノズル口３４に連通した中空の滞留エリア３３が設けられている。ノズル口３４内には、フィルタ網が配置されてもよい。
【００１４】
フィルタ４は、中空のフィルタ本体４１を有し、ノズルベース１のスリーブ１６に設けられた係入孔１６１内に組み合わされている。フィルタ本体４１の上端には、フィルタ本体４１と一体になるように射出成型されたフィルタ網４２が設けられている。
【００１５】
図１及び図２を参照する。図１及び図２に示すように、本考案の一実施形態による泡発生装置を実際に組み立てる際、まず、ノズルベース１の係入孔１６１内にフィルタ４を挿入する。続いて、一方向弁２の貫通孔２１に、ノズルベース１のスリーブ１６を嵌合させる。続いて、ノズルベース１にノズル３を嵌合させる。ノズルベース１の接続片１７をノズル３の挟片３２で挟持し、挟片３２の引っ掛け部３２１と、接続片１７の引っ掛け部１７１とを係合させると組立が完成する。続いて、一方向弁２の底部に設けた挟持片２３により吸管を挟持して固定し、ヘアースタイリング剤、髪染剤などの溶液を収納するために用いる軟質プラスチックの瓶体内に入れる。続いて、瓶体の瓶口の雄ネジ部と、ノズルベース１の接合部１１内に設けた雌ネジ部とを螺着させる。
【００１６】
図３及び図４を参照する。図３及び図４に示すように、本考案の一実施形態による泡発生装置を実際に使用する際、ノズル３を引き上げると、外部の空気がノズルベース１の隔板１３と、ノズル３の外壁３１との間に設けられたガス導入隙間３１１を通り、ノズルベース１の通気孔１３１内に流入してから一方向弁２を通って瓶体内に入る。ノズルベース１の通気孔１３１から流入した空気は、弾片２２を押し開いて瓶体内に入り、瓶体内の溶液と気液混合される。ユーザが瓶体を押すと、瓶体内の圧力が変化し、瓶体内に元々ある空気が上方に移動し、一方向弁２の挟持片２３により形成された隙間２４から、スリーブ１６に嵌合されたフィルタ４内に流入する。瓶体内に収納されていた溶液は、吸管により吸引され、上方のスリーブ１６に嵌合されたフィルタ４に向かって流動し、フィルタ４内に流入した空気と気液混合し、フィルタ４のフィルタ本体４１により押し出され、泡状になる。フィルタ本体４１から押し出された泡は、滞留エリア３３内に一時的に留まり、泡構造が安定した後、ノズル口３４から押し出される。
【００１７】
このように、本考案の一実施形態による泡発生装置のノズルベース１、一方向弁２、ノズル３及びフィルタ４は、構造が簡素であるため、ユーザは、迅速に組み立てを行うことができる。各部材は、ユーザが容易に組み立て易いサイズからなるため、紛失してコストがかかる虞がない。また、部材の構造が簡素であるため、製作する金型は４つだけでよいため、製造コストが大幅に減り、市場競争力を高めることができる。
【００１８】
（第１実施形態）
図５及び図６を参照する。図５及び図６に示すように、本考案の第１実施形態による泡発生装置は、ノズル３の上端に櫛体３５が配置されている。ノズル３のノズル口３４は、櫛体３５内で延伸されている。櫛体３５には、ノズル口３４と連通する複数の貫通孔３５１が設けられている。これにより、ノズル３のノズル口３４から、ノズル口３４と連通する貫通孔３５１を介して泡を櫛体３５上に押し出し、頭髪に泡を塗布することができる。
【００１９】
（第２実施形態）
図７及び図８を参照する。図７及び図８に示すように、本考案の第２実施形態による泡発生装置は、ノズル３の上端に、第１実施形態の櫛体３５とは異なる形状の櫛体３５が配置されている。第２実施形態の櫛体３５は、櫛歯３５２の端部に、ノズル口３４と連通する貫通孔３５１が設けられている。これにより、ユーザは、整髪する際、櫛歯３５２の端部に設けられた貫通孔３５１から泡を出すことができる。
【００２０】
（第３実施形態）
図９及び図１０を参照する。図９及び図１０に示すように、本考案の第３実施形態による泡発生装置は、ノズル３の上端に、外側から内側にかけて弧状凹部をなす円盤状端面３６が配置されている。円盤状端面３６の中央部には、ノズル口３４と連通する貫通孔３６１が設けられている。ノズル口３４から押し出された泡は、貫通孔３６１を介して円盤状端面３６で球体状に集められる。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  ノズルベース
２  一方向弁
３  ノズル
４  フィルタ
１１  接合部
１２  組立部
１３  隔板
１４  上部収納室
１５  下部収納室
１６  スリーブ
１７  接続片
２１  貫通孔
２２  弾片
２３  挟持片
２４  隙間
３１  外壁
３２  挟片
３３  滞留エリア
３４  ノズル口
３５  櫛体
３６  円盤状端面
４１  フィルタ本体
４２  フィルタ網
１３１  通気孔
１６１  係入孔
１６２  閉塞端
１６３  貫通孔
１６４  ストッパ部
１７１  引っ掛け部
２１１  ストッパ部
３１１  ガス導入隙間
３２１  引っ掛け部
３５１  貫通孔
３５２  櫛歯
３６１  貫通孔
【図１】
0003167280.tif 000003
【図２】
0003167280.tif 000004
【図３】
0003167280.tif 000005
【図４】
0003167280.tif 000006
【図５】
0003167280.tif 000007
【図６】
0003167280.tif 000008
【図７】
0003167280.tif 000009
【図８】
0003167280.tif 000010
【図９】
0003167280.tif 000011
【図１０】
0003167280.tif 000012